(57)【要約】  【課題】利用者が所望する情報を、携帯電話を用いて、所定の情報データベースとその検索エンジンを付帯した検索サイトから検索する際、携帯電話の小型ディスプレイであっても、利用者が、より容易かつ迅速に、所望の情報を特定するための情報検索結果表示システムの提供。  【解決手段】任意の検索条件に基づき、ヒットした情報を一覧表示する際、アクセス頻度の高い情報が含まれていた場合、これをソートして優先的に検索結果の一覧表示の冒頭部分に表示させる。【選択図】図８
2005107980.tif 000002
【特許請求の範囲】
【請求項１】
携帯電話における所定情報の検索結果の表示システムであって、インターネット検索サイトの被検索情報のデータベースには、当該情報の所定期間のアクセス頻度情報が記録されており、利用者による任意の検索条件に基づき、ヒットした情報を一覧表示する際、前記アクセス頻度情報における所定の頻度数ないし頻度割合以上の情報が含まれていた場合は、その該当する情報を、前記一覧表示の少なくとも冒頭部分に、その頻度数ないし頻度割合の降順にソートして表示することを特徴とする情報検索結果表示システム。
【請求項２】
前記所定情報が着信メロディー情報ないしカラオケ楽曲情報である請求項１記載の情報検索結果表示システム。
【発明の詳細な説明】
【技術分野】
【０００１】
本発明は、携帯電話を用いて、利用者が所望する所定情報をインターネットの検索サイトにて検索する場合、その情報を特定するための情報検索結果表示システムに関する。
【背景技術】
【０００２】
最近、携帯電話の性能が著しく向上し、現在はブラウザ機能を有するものが一般的になりつつある。このブラウザ機能を付帯した携帯電話は、インターネットのモバイル専用サイトにアクセスでき、特に、情報データベースとその検索エンジンを付帯した検索サイトにアクセスすれば、利用者が所望する情報を検索して、様々な情報を得ることができる。
これら検索サイトの中で、現在人気のサイトには、例えば、利用者が所持する携帯電話に着信メロディーをダウンロードさせるサイト、カラオケ楽曲に関する種々のデータや当該楽曲の音楽データそのものをダウンロードさせるサイト、あるいは飲食店や娯楽施設の情報を提供するサイト、また、求職や求人などの就職情報を提供するサイトなどがある。
【０００３】
このような技術に関連する出願としては、例えば、特開２００３−２７１８４５号公報では、業者情報を蓄積し、コンピュータネットワーク経由で接続されるクライアント端末（携帯電話など）に対して、検索条件の入力を受付け、検索条件に該当する業者情報を一覧表として表示させるシステムが開示され、さらに、特開２００２−１５００２号公報では、携帯電話などを用いて、文字列を検索条件として登録された複数の情報の中から所望の情報を選択するための情報検索方法が開示されている。
【０００４】
ここで、このような携帯電話における所定情報の検索結果の表示システムについて説明する。先ず、図１に示すのは、携帯電話のディスプレイに表示された検索サイトの概略図である。携帯電話（Ｔ）はブラウザ機能を有し、そのディスプレイ（Ｄ）には、利用者が所望する着信メロディーをダウンロードするための検索サイトにおける「歌手名検索」、「曲名検索」、「メロディーＮＯ検索」、「リクエスト検索」などの検索方法から、所望の検索方法を指定するための検索方法指定画面（ｄ１）が表示されている。
【０００５】
そして、図２は、図１の指定検索方法の検索手順に基づく画面表示の変化説明図であるが、先ず、図２の（イ）では、検索方法として「曲名検索」が指定された場合、その曲名検索を、さらに「５０音検索」、「読みで検索」、「曲名で検索」など、利用者が如何なる検索手段を用いるかの選択画面（ｄ２）が表示され、利用者が「５０音検索」を選択して、さらに、平仮名の五十音順の行である「あ行」、「か行」…「わ行」の中から、曲名の読み出し部の音が属する行である「あ行」を選択する（図示省略）と、（ロ）に示すように、「あ」、「い」、「う」、「え」、「お」の音を選択するための選択画面（ｄ３）が表示される。そして、利用者が「あ」を選択すると、（ハ）に示すように、「あ」に続く音も含め、同じく五十音順に「ああ」、「あい」、「あう」、「あえ」、「あお」を選択するための選択画面（ｄ４）が表示される。このように絞り込みながら、例えば、「あいの」で始まる曲名を検索する（図示省略）と、（ニ）に示すように、ヒットした楽曲情報の楽曲情報のヒット数表示部（ｄ１１）には、例えば、「６８」のヒット曲数が表示されると共に、その一覧表（ｄ１２）が検索結果表示画面（ｄ５）として表示される。
【０００６】
また、図３は、図１の別の指定検索方法の検索手順に基づく画面表示の変化説明図である。先ず、図３の（イ）では、上記と同じく、検索方法として「曲名検索」が指定されると、検索手段の選択画面（ｄ６）が表示される。そして、利用者が「読みで検索」を選択すると、（ロ）に示すように、平仮名で入力するキーワード入力部（ｄ１０）を有した検索画面（ｄ７）が表示され、（ハ）に示すように、利用者が、入力検索画面（ｄ８）において、キーワード入力部（ｄ１０）に「あいの」を入力して検索を開始すると、（ニ）に示す検索結果表示画面のように、「あいの」で始まる曲名を対象に、ヒットした楽曲情報の楽曲情報のヒット数表示部（ｄ１１）にはヒット曲数が表示されると共に、その一覧表（ｄ１２）が検索結果表示画面（ｄ９）として表示される。
【０００７】
次に、図４は、図３における検索結果表示画面の詳細説明図であるが、これに示すように、「あいの」で始まる着信メロディーの曲名の検索条件に基づいて、ヒットした楽曲情報（曲名・歌手名）一覧（ｄ１２）では、「愛の青山（「あ」おやま）」（ｄ１２ａ）、「愛の形（「か」たち）」（ｄ１２ｂ）、「愛の気持ち（「き」もち）」（ｄ１２ｃ）、「愛の口づけ（「く」ちづけ）」（ｄ１２ｄ）、「愛の熊五郎（「く」まごろう）」（ｄ１２ｅ）、「愛の熊本（「く」まもと）」（ｄ１２ｆ）、「愛の山河（「さ」んが）」（ｄ１２ｇ）、「愛の青春（「せ」いしゆん）」（ｄ１２ｈ）というように表示されるが、これは「あいの」という特定の条件を満たす部分以降は、平仮名文字「あ」、「か」、「き」、「く」、「さ」、「し」に基づき、五十音順でソートして表示した結果である。さらに、「愛の口づけ（「く」「ち」づけ）」（ｄ１２ｄ）、「愛の熊五郎（「く」「ま」ごろう）」（ｄ１２ｅ）、「愛の熊本（「く」「ま」もと）」（ｄ１２ｆ）、と順に表示されているのは、「あいの」の次に共通した平仮名文字「く」に続く次の平仮名文字「ち」、「ま」に基づき、五十音順でソートすると共に、「愛の熊五郎（「く」「ま」「ご」ろう）」（ｄ１２ｅ）、「愛の熊本（「く」「ま」「も」と）」（ｄ１２ｆ）における平仮名文字「く」、「ま」の、さらに次の平仮名文字「ご」、「も」に基づき、五十音順でソートして表示した結果である。
【特許文献１】特開２００３−２７１８４５号公報
【特許文献２】特開２００２−１５００２号公報
【発明の開示】
【発明が解決しようとする課題】
【０００８】
以上説明したように、任意の検索条件に基づき、ヒットした情報を一覧表示する場合、通常、如何なる検索条件であっても、その検索結果は、その特定の条件を満たす部分以降は、一定の法則にて五十音順でソートされて表示されるのが一般的である。例えば、前述した例は、着信メロディーをダウンロードするために、利用者が所望する曲名を検索条件にしたものであるが、これ以外の分野における如何なる範疇の検索条件であっても、その検索結果の特定の条件を満たす部分以降は五十音順でソートされて表示される。これは、当然のことながら、日本人が平仮名の五十音に慣れ親しんでいるためであり、ソートされた五十音を順に追って行けば、所望の情報を確実に探し出せるからである。
【０００９】
しかしながら、検索結果の特定の条件を満たす部分以降がソートされた五十音順であっても、これを五十音順に肉眼で追って行くこと自体が手間である。しかも、携帯電話が付帯したディスプレイは非常に小型であるため、文字が小さくて見難く、加えて、一画面に多くの情報を掲載できないといった不都合もある。さらに、最近では情報量自体が著しく増加しており、例えば、着信メロディーやカラオケ楽曲なども膨大な数に至っており、その増加に伴って必然的にヒットされる検索結果も多くなるため、利用者が情報を探す手間や時間も増大する傾向にあるといった問題がある。
【００１０】
そこで、本発明は、上記不都合を解消するために想到されたもので、利用者が所望する情報を、携帯電話を用いて、所定の情報データベースとその検索エンジンを付帯した検索サイトから検索する際、携帯電話の小型ディスプレイであっても、利用者が、より容易かつ迅速に、所望の情報を特定するための情報検索結果表示システムの提供を課題とする。
【課題を解決するための手段】
【００１１】
上記課題を解決するため、情報量が如何に膨大になっても、実際にアクセスされる情報は、所定の期間では、一般的な利用者による人気の高さで、ある程度限定されてしまうことが判明され、この傾向を利用し、携帯電話を用いて、所定のインターネット検索サイトに対する任意の検索条件に基づきヒットした情報を一覧表示する際、アクセス頻度の高い情報が含まれていた場合、これをソートして優先的に検索結果の一覧表示の冒頭部分に表示させることにより、利用者が、より容易かつ迅速に情報を特定できることを見い出し、本発明を想到した。
【００１２】
すなわち、本発明の請求項１記載の情報検索結果表示システムは、携帯電話における所定情報の検索結果の表示システムであって、インターネット検索サイトの被検索情報のデータベースには、当該情報の所定期間のアクセス頻度情報が記録されており、利用者による任意の検索条件に基づき、ヒットした情報を一覧表示する際、前記アクセス頻度情報における所定の頻度数ないし頻度割合以上の情報が含まれていた場合は、その該当する情報を、前記一覧表示の少なくとも冒頭部分に、その頻度数ないし頻度割合の降順にソートして表示することを特徴とする。
【００１３】
さらに、本発明の請求項２記載の情報検索結果表示システムは、上記所定情報が着信メロディー情報ないしカラオケ楽曲情報であることを特徴とする。
【発明の効果】
【００１４】
本発明の請求項１記載の情報検索結果表示システムによれば、利用者が所望する情報を所定の検索サイトから検索する際、特に人気の高い情報、すなわち、その人気の高さのバロメータたるアクセス頻度数ないしアクセス頻度割合の高いものがあれば、これを優先的に一覧表示の少なくとも冒頭部分に表示させるため、利用者が最初に目に付く部分に、当該人気の高い情報を配したことにより、携帯電話の小型ディスプレイであっても、利用者が、より容易かつ迅速に、所望の情報を特定できる。
【００１５】
本発明の請求項２記載の情報検索結果表示システムによれば、上記所定情報が着信メロディー情報ないしカラオケ楽曲情報であり、これらの情報は、特に、アクセス頻度数ないしアクセス頻度割合が、その人気の大きなバロメータになり得ているため、人気の高い情報を優先的に一覧表示の冒頭部分に表示させることにより、利用者は、さらに効率よく、より容易かつ迅速に、所望の情報を特定できる。
【発明を実施するための最良の形態】
【００１６】
以下、本発明の情報検索結果表示システムについて、最適な実施例を挙げて詳述する。
【実施例１】
【００１７】
図５は、所定の検索サイトにおける、着信メロディー情報を蓄積したデータベースのデータテーブルの概略図である。このデータテーブル（１）では、楽曲コードフィールド（２）、歌手名フィールド（４）、曲名フィールド（５）［通常、８桁の読み仮名フィールドと８桁の英数字フィールドからなる］などといった着信メロディーの基本的な属性データフィールドに加え、アクセス頻度フィールド（３）が付帯されている。
なお、本実施例では、着信メロディーを挙げているが、別の実施例として、利用者が歌唱したいカラオケ楽曲の予約楽曲コードの検索や、カラオケリモコン装置の機能を有した携帯電話から、利用者が所望する予約楽曲コードのカラオケ演奏装置への転送の際でも、後述する着信メロディーと略同じように、カラオケ楽曲情報の検索および検索結果表示が行われる。
【００１８】
このような着信メロディーの所定期間のアクセス頻度情報を記録しているデータベースは、検索サイトのサーバ内に設定されるものであり、所定期間のアクセス頻度情報は、設定条件により集計を異にすることができるため、通常は、極めて広い地域での利用者の好みに対応するようにアクセス頻度情報を収集するが、例えば、地域性を含んだ範疇にて人気の高い楽曲を判別し、ある程度限定した利用者の好みに対応する目的があれば、ＧＰＳ機能を付帯した携帯電話から、地域情報を収集し、これにアクセス頻度情報を紐付けしてもよい。また、本発明のアクセス頻度情報における「所定期間」については、特に限定はなく、所定の範疇の属する情報毎の性格から最も適当なものを設定する。例えば、所定日（使用当日など）から過去に遡った所定の日単位（例えば、過去３０日）、月単位（例えば、過去３ヶ月）、年単位（例えば、過去１年）の期間でも、あるいは、特定期間（例えば、○○年△△月〜××年□□月）を設定しても構わない。
【００１９】
次に、図６は、上記データテーブルにおけるアクセス頻度フィールドの詳細図である。そのアクセス頻度情報（６）が示すように、楽曲コードフィールド（２）［Ｃ〜と表示しているが、通常は６桁の数字からなる］における各楽曲コードに対応して、アクセス頻度数フィールド（３ａ）とアクセス頻度割合フィールド（３ｂ）からなるアクセス頻度フィールド（３）に所定の頻度データが記録されている。
【００２０】
そして、このアクセス頻度情報（６）において、所定の頻度数ないし頻度割合以上の楽曲、例えば「アクセス頻度数１００以上」という条件設定では、これに対応したアクセス頻度情報（６ａ）に示すように、１０曲の着信メロディーが特定される。したがって、このアクセス頻度情報（６ａ）にある楽曲が、任意の検索条件に基づき、ヒットした楽曲情報に含まれていた場合、その該当する楽曲が、その一覧表示の冒頭部分に降順（例えば、上から楽曲コードＣ５→Ｃ１０５３→Ｃ８６→Ｃ７）で表示される。また、例えば「アクセス頻度割合７％以上」という条件設定では、これに対応したアクセス頻度情報（６ｂ）に示すように、６曲の着信メロディーが特定される。したがって、このアクセス頻度情報（６ｂ）にある楽曲が、任意の検索条件に基づき、ヒットした楽曲情報に含まれていた場合、その該当する楽曲が、その一覧表示の冒頭部分に降順（例えば、上から楽曲コードＣ１０５５→Ｃ８６→Ｃ１３８）で表示される。
【００２１】
なお、上記アクセス頻度情報において、所定の頻度数ないし頻度割合以上の楽曲の設定を、上記条件の他、例えば、ベスト〜（例えば、ベスト１０）というように、「上位から何件まで」というような特定方法であっても構わない。
【００２２】
本発明では、任意の検索条件に基づき、ヒットした情報を一覧表示する際、アクセス頻度情報における所定の頻度数ないし頻度割合以上の楽曲が含まれていた場合、その一覧表示の少なくとも冒頭部分に、その頻度数ないし頻度割合の降順にソートして表示するものであるが、例えば、前述した図３の（ハ）において、キーワード入力部（ｄ１０）に、利用者が所望する曲名の頭部分である「あいの」（愛の）を入力した場合、図７は、本発明のシステムに基づく検索結果表示画面の概略的説明図であり、この検索結果表示画面（ｄ１３）では、所定の頻度数ないし頻度割合以上の楽曲、例えば、「愛の三番町」（ｄ１３ａ）、「愛の子猫物語」（ｄ１３ｂ）という楽曲が含まれていた場合、これがその一覧表示の冒頭部分（ｄ１４）にアクセス頻度の降順で表示される。そして、その冒頭部分に続く部分（ｄ１５）では、従来通り、五十音順でソートされて表示される。
【００２３】
図８は、従来と本発明の検索結果表示画面の比較説明図であるが、図８の（イ）は、前述したように、アクセス頻度情報には無関係に、その特定の条件を満たす部分以降は、検索結果表示画面に、一定の法則にて五十音順でソートされ、一覧表示（ｄ１２）される。一方、（ロ）は、本発明のシステムによる一覧表示であり、所定の頻度数ないし頻度割合以上の楽曲が、その一覧表示の冒頭部分（ｄ１４）にアクセス頻度の降順で表示される。そして、その冒頭部分に続く部分（ｄ１５）では、従来通り、五十音順でソートされて表示される。
【００２４】
なお、この冒頭部分（ｄ１４）に表示された２曲については、これに続く部分（ｄ１５）において、通常は、その表示が削除されているものであるが、五十音順でソートされた本来の順番で残しておいても構わず、少なくとも冒頭部分（ｄ１４）に表示されていればよい。さらに、アクセス頻度の高い情報が掲載された冒頭部分（ｄ１４）については、特に、当該部分とこれに続く部分との識別や、当該部分のアイキャッチの強化として、この冒頭部分（ｄ１４）に網掛け模様を付したり、矩形枠で囲んだり、あるいは当該部分の文字のフォントや大きさを変えたりしても構わない。
【００２５】
以上、詳述した如く、本発明の情報検索結果表示システムによれば、携帯電話を用いて所定のインターネット検索サイトに対する任意の検索条件に基づき、ヒットした情報を一覧表示する際、情報のアクセス頻度の高い情報が含まれていた場合、これをソートして優先的に一覧表示の冒頭部分に表示させることにより、携帯電話の小型ディスプレイであっても、利用者は、より容易かつ迅速に情報を特定できる
【００２６】
なお、本発明は、その基本概念を逸脱しない限り、種々の改変をなすことができると共に、その権利は当該改変されたものにも及ぶものである。
【図面の簡単な説明】
【００２７】
【図１】携帯電話のディスプレイに表示された検索サイトの概略図。
【図２】図１の指定検索方法の検索手順に基づく画面表示の変化説明図。
【図３】図１の別の指定検索方法の検索手順に基づく画面表示の変化説明図。
【図４】図３における検索結果表示画面の詳細説明図。
【図５】着信メロディー情報を蓄積した情報データベースのデータテーブルの概略図。
【図６】図６のデータテーブルにおけるアクセス頻度フィールドの詳細説明図。
【図７】本発明のシステムに基づく検索結果表示画面の詳細説明図。
【図８】従来と本発明の検索結果表示画面の比較説明図。
【符号の説明】
【００２８】
１      データテーブル
２      楽曲コードフィールド
３      アクセス頻度フィールド
４      歌手名フィールド
５      曲名フィールド
ｄ１３  検索結果表示画面の一覧表示
ｄ１４  一覧表示の冒頭部分
ｄ１５  冒頭部分に続く部分
【図１】
2005107980.tif 000003
【図２】
2005107980.tif 000004
【図３】
2005107980.tif 000005
【図４】
2005107980.tif 000006
【図５】
2005107980.tif 000007
【図６】
2005107980.tif 000008
【図７】
2005107980.tif 000009
【図８】
2005107980.tif 000010